(57)【特許請求の範囲】
【請求項１】
パケット音声通信サービスの提供を受けるユーザ端末毎に回線品質を測定する測定手段と、
各ユーザ端末の回線品質に応じて同時接続可能なユーザ端末数を動的に設定する設定手段と、を備え、
前記設定手段は、何れかのユーザ端末の回線品質が閾値を下回った時点で回線品質が閾値を上回るユーザ端末の数を同時接続可能なユーザ端末数として設定する、小型基地局。
【請求項２】
パケット音声通信サービスの提供を受けるユーザ端末毎に回線品質を測定する測定手段と、
各ユーザ端末の回線品質に応じて同時接続可能なユーザ端末数を動的に設定する設定手段と、を備え、
前記設定手段は、同時接続している全てのユーザ端末からの呼が解放されたことを契機として、同時接続可能なユーザ端末数を上限に引き上げる、小型基地局。
【請求項３】
請求項１又は請求項２に記載の小型基地局であって、
前記測定手段は、回線帯域を定期的に測定し、
前記設定手段は、前記回線帯域に応じて予め設定されたユーザ端末数を前記同時接続可能なユーザ端末数の上限とする、小型基地局。
【請求項４】
請求項１乃至請求項３のうち何れか１項に記載の小型基地局であって、
前記同時接続可能なユーザ端末数を超える呼の受け付けを拒絶する呼制御手段を更に備える、小型基地局。
【請求項５】
請求項４に記載の小型基地局であって、
前記呼制御手段は、前記同時接続可能なユーザ端末数がゼロに低下したことを契機として、パケット音声通信サービスの提供を停止する、小型基地局。
【請求項６】
パケット音声通信サービスの提供を受けるユーザ端末毎に回線品質を測定する測定手段と、
各ユーザ端末の回線品質に応じて同時接続可能なユーザ端末数を動的に設定する設定手段と、を備え、
前記設定手段は、何れかのユーザ端末の回線品質が閾値を下回った時点で回線品質が閾値を上回るユーザ端末の数を同時接続可能なユーザ端末数として設定する、呼制御装置。
【請求項７】
パケット音声通信サービスの提供を受けるユーザ端末毎に回線品質を測定する測定手段と、
各ユーザ端末の回線品質に応じて同時接続可能なユーザ端末数を動的に設定する設定手段と、を備え、
前記設定手段は、同時接続している全てのユーザ端末からの呼が解放されたことを契機として、同時接続可能なユーザ端末数を上限に引き上げる、呼制御装置。
【請求項８】
パケット音声通信サービスの提供を受けるユーザ端末毎に回線品質を測定するステップと、
各ユーザ端末の回線品質に応じて同時接続可能なユーザ端末数を動的に設定するステップと、を備え、
前記ユーザ端末数を動的に設定するステップは、何れかのユーザ端末の回線品質が閾値を下回った時点で回線品質が閾値を上回るユーザ端末の数を同時接続可能なユーザ端末数として設定する、呼制御方法。
【請求項９】
パケット音声通信サービスの提供を受けるユーザ端末毎に回線品質を測定するステップと、
各ユーザ端末の回線品質に応じて同時接続可能なユーザ端末数を動的に設定するステップと、を備え、
前記ユーザ端末数を動的に設定するステップは、同時接続している全てのユーザ端末からの呼が解放されたことを契機として、同時接続可能なユーザ端末数を上限に引き上げる、呼制御方法。
【請求項１０】
請求項８又は請求項９に記載の呼制御方法を小型基地局に実行させるための呼制御プログラム。
【発明の詳細な説明】
【技術分野】
【０００１】
本発明はパケット音声通信の呼制御に関する。
【背景技術】
【０００２】
ＬＴＥ（Long Term Evolution）は、Ｗ−ＣＤＭＡ（Wideband Code Division Multiple Access）の拡張技術であるＨＳＰＡ（High Speed Packet Access）から更に発展した標準規格である。ＬＴＥでは、下りリンクにおいて１００Ｍｂｐｓ以上、上りリンクにおいて５０Ｍｂｐｓ以上の高速通信が実現されており、遅延の改善や周波数の利用効率向上などが図られている。ＶｏＬＴＥ（Voice over LTE）は、ＬＴＥネットワーク上で高速な音声パケット通信サービスを提供する通信方式として商用化されている。
【発明の概要】
【発明が解決しようとする課題】
【０００３】
この種の音声パケット通信サービスでは、伝送遅延と帯域不足が生じると、サービス品質が著しく低下するため、ある程度の回線品質を確保する必要がある。ところが、音声パケット通信サービスを利用するユーザ数は多数に上るため、移動通信事業者が各ユーザのブロードバンド回線の品質を測定し、音声パケット通信サービスを提供できる状態にあるか否かを判断することが事実上困難な状況にある。
【０００４】
そこで、本発明は、このような問題を解決し、回線品質に応じて音声パケット通信サービスを提供することを課題とする。
【課題を解決するための手段】
【０００５】
上記の課題を解決するため、本発明に係る小型基地局は、パケット音声通信サービスの提供を受けるユーザ端末毎に回線品質を測定する測定手段と、各ユーザ端末の回線品質に応じて同時接続可能なユーザ端末数を動的に設定する設定手段とを備える。各ユーザ端末の回線品質を測定することにより、同時接続可能なユーザ端末数を最適化することができる。設定手段は、何れかのユーザ端末の回線品質が閾値を下回った時点で回線品質が閾値を上回るユーザ端末の数を同時接続可能なユーザ端末数として設定してもよい。回線品質が閾値を下回るユーザ端末が検出されたときは、回線にゆらぎやパケット損失が生じているものと考えられるため、同時接続可能なユーザ端末数を引き下げることにより、十分な品質の音声通信サービスを提供できる。
【発明の効果】
【０００６】
本発明によれば、各ユーザ端末の回線品質を測定することにより、同時接続可能なユーザ端末数を最適化することができる。
【図面の簡単な説明】
【０００７】
【図１】本実施形態に係る移動通信システムのネットワーク構成図である。
【図２】本実施形態に係る小型基地局の構成を示す機能ブロック図である。
【図３】本実施形態に係る呼制御プログラムのモジュール構成を示す説明図である。
【図４】本実施形態に係る静的同時接続ユーザ端末数の変動の一例を示すグラフである。
【図５】本実施形態に係る動的同時接続ユーザ端末数の変動の一例を示すグラフである。
【発明を実施するための形態】
【０００８】
以下、各図を参照しながら本発明の実施形態について説明する。
図１は本実施形態に係る移動通信システム１００のネットワーク構成を示す。移動通信システム１００は、例えば、ＬＴＥネットワーク、ＧＳＭ（Global System for Mobile Communications）ネットワーク、又はＷＣＤＭＡ（Wideband Code Division Multiple Access）ネットワーク等によって構成される。ＬＴＥネットワークのノードの一つを構成する小型基地局１０は、ＨｅＮＢ（Home eNode B）と呼ばれており、マクロセル基地局と同様の無線アクセス技術を用いてユーザ端末２１，２２，２３に通信サービス（例えば音声パケット通信サービス、マルチメディアサービス等）を提供する。小型基地局１０が形成するセル３０は、そのセルサイズがマクロセルよりも小規模であることに由来して、スモールセル、フェムトセル、又はピコセルと呼ばれることがある。また、小型基地局１０は、スモールセル基地局、フェムトセル基地局、又はピコセル基地局と呼ばれることもある。ユーザ端末２１，２２，２３は、スマートフォン等の高機能携帯電話であり、ＵＥ（User Equipment）と呼ばれる。
【０００９】
ＬＴＥネットワークのノードの一つを構成するゲートウェイ５０は、ＨｅＮＢ ＧＷ（Home eNodeB Gateway）と呼ばれており、ブローバンド回線４０を介して小型基地局１０に接続している。ブロードバンド回線４０は、光ファイバー回線、非対称デジタル加入者線、又は同軸ケーブル等の高速データ回線である。小型基地局１０は、ゲートウェイ５０を介して移動通信事業者のコアネットワーク６０に接続する。コアネットワーク６０には、例えば、ＴＲ−０６９管理プロトコルに基づいて小型基地局１０を遠隔管理するための管理サーバ７０が配置されている。管理サーバ７０は、例えば、オペレーションサポートシステムと呼ばれるコンピュータシステムである。管理サーバ７０は、ブロードバンド回線４０の回線帯域の情報を格納するファイル７１を保持している。ファイル７１は、例えば、１ＭＢ程度のファイルサイズを有しており、ＦＴＰ（File Transfer Protocol）等のファイル転送プロトコルを通じて小型基地局１０に転送可能である。なお、図１には図示しないが、コアネットワーク６０には、ユーザ端末２１，２２，２３の呼制御等を行うための交換局、ホームロケーションレジスタ、ビジタロケーションレジスタ等が配置されている。
【００１０】
図２は小型基地局１０の構成を示す機能ブロック図である。小型基地局１０は、ユーザ端末２１，２２，２３との間で電波を送受信するためのアンテナ１１、無線信号の周波数変換及び変復調処理等を行うＲＦ処理部１２、ユーザ端末２１，２２，２３の通信プロトコルとブロードバンド回線４０の通信プロトコルとの間でプロトコル変換を行うプロトコル変換部１３、小型基地局１０の動作を制御する制御部１４、及びブロードバンド回線１４に接続する通信インタフェース１５を備える。
【００１１】
図３は本実施形態に係る呼制御プログラム８０のモジュール構成を示す説明図である。呼制御プログラム８０は、ユーザ端末２１，２２，２３のパケット音声通信に係る呼制御を処理するためのコンピュータプログラムであり、測定モジュール８１、設定モジュール８２、及び呼制御モジュール８３を備える。これらのモジュール８１，８２，８３は、呼制御プログラム８０の中で呼び出されて実行されるソフトウェアモジュール（例えば、プロシージャ、サブルーチン、メソッド、関数、及びデータ構造等を組み合わせたもの）である。但し、モジュール８１，８２，８３の機能の一部又は全部は、小型基地局１０のハードウェアモジュールによって実現されてもよい。呼制御プログラム８０は、例えば、制御部１４内の記憶資源（半導体メモリ、記録媒体等）に格納されており、制御部１４内のプロセッサにより解釈及び実行される。
【００１２】
設定モジュール８２は、回線帯域及び回線品質を考慮して同時接続可能なユーザ端末数を動的に設定する。説明の便宜上、本明細書では、「回線帯域」から一義的に定まる同時接続可能なユーザ端末数を「静的同時接続ユーザ端末数」と称する。静的同時接続ユーザ端末数と回線帯域との関係は、例えば、一対一の関係にあり、回線帯域の測定結果から静的同時接続ユーザ端末数が一義的に定まる。回線帯域は、定期的に測定されるため、静的同時接続ユーザ端末数も定期的に更新される。一方、ユーザ端末毎の「回線品質」を考慮して静的同時接続ユーザ端末数を補正して得られる同時接続可能なユーザ端末数を「動的同時接続ユーザ端末数」と称する。「静的同時接続ユーザ端末数」及び「動的同時接続ユーザ端末数」の用語は、両者を明確に区別する必要があるときに用いられるものとし、両者を区別する必要がないときは、「同時接続可能なユーザ端末数」の用語を用いるものとする。
【００１３】
測定モジュール８１は、ブロードバンド回線４０の回線帯域を定期的に測定する処理を行う。ここで、「回線帯域」は、複数のユーザ端末２１，２２，２３によって共有される物理回線であるブロードバンド回線４０の帯域を意味し、回線帯域の測定は、物理回線毎に行われる。例えば、小型基地局１０の起動直後でユーザ端末２１，２２，２３から呼を受け付ける準備段階にあるときに回線帯域が測定され、その後、呼受け付け準備段階からパケット音声通信サービス運用段階に移行してから一定の周期間隔で回線帯域が測定される。設定モジュール８２は、ブロードバンド回線４０の回線帯域に応じて予め定められた静的同時接続ユーザ端末数を動的同時接続ユーザ端末数の上限として取り扱う。設定モジュール８２は、例えば、回線帯域が１．２５Ｍｂｐｓ以上あるきは、静的同時接続ユーザ端末数を８とし、回線帯域が３００Ｋｂｐｓ以上４５０Ｋｂｐｓ未満のときは、静的同時接続ユーザ端末数を２とし、回線帯域が１５０Ｋｂｐｓ以上３００Ｋｂｐｓ未満のときは、静的同時接続ユーザ端末数を１とし、回線帯域が１５０Ｋｂｐｓ未満のときは、静的同時接続ユーザ端末数を０とする。回線帯域が広い程、静的同時接続ユーザ端末数を多く設定できる。回線帯域は、パケット音声通信サービス中に測定され、逐次更新されるため、静的同時接続ユーザ端末数も回線帯域に応じて逐次更新される。小型基地局１０は、管理サーバ７０からファイル７１をダウンロードすることによりブロードバンド回線４０の帯域を測定できる。ブロードバンド回線４０の帯域は、一時的にゆらぐことがあるため、複数のファイル７１をダウンロードし、各ファイル７１に格納されている帯域情報の平均値から回線帯域を求めてもよい。
【００１４】
測定モジュール８１は、パケット音声通信サービス中にユーザ端末２１，２２，２３毎に回線品質を定期的に測定する処理を行う。「回線品質」は、例えば、小型基地局１０とゲートウェイ５０との間でブロードバンド回線４０を介して送受信される音声パケットのフレームエラーレート、パケット欠落率、パケット欠落数、パケット遅延時間、又はこれらの二つ以上の組み合わせであり、回線品質の測定は、ユーザ端末毎に定期的に行われる。回線品質の測定は、例えば、上り方向と下り方向のそれぞれについて実施してもよい。上り方向のパケット欠落率は、例えば、ゲートウェイ５０からのリアルタイムデータ伝送制御プロトコルに基づくＲＲ（Receiver Report）パケットに格納されているパケット欠落率（Fraction Lost）から求めることができる。下り方向のパケット欠落率は、小型基地局１０で測定したパケット欠落率（Fraction Lost）から求めることができる。上り方向のパケット欠落率と下り方向のパケット欠落率の何れか一方又は両方が閾値を上回るときに回線品質が異常であると判断してもよい。パケット欠落数は、ＲＲパケットに格納されている累計パケット損失数（Cumulative Number of Packets Lost）から求めることができる。パケット欠落数が閾値を上回るときに回線品質が異常であると判断してもよい。パケット遅延時間は、ＳＲ（Sender Report）パケットの送信時刻、ＲＲパケットの受信時刻、並びにＲＲパケットに格納されているＬＳＲ（Last SR Timestamp）及びＤＬＳＲ（Delay Since Last SR）から求めることができる。上り方向（小型基地局１０からゲートウェイ５０へ流れる方向）のパケット遅延時間は、ＬＳＲが示す時刻とＳＲパケットの送信時刻との差分から求めることができる。下り方向（ゲートウェイ５０から小型基地局１０へ流れる方向）のパケット遅延時間は、ＲＲパケットの受信時刻とＤＬＳＲが示す時刻との差分から求めることができる。上り方向のパケット遅延時間と下り方向のパケット遅延時間の何れか一方又は両方が閾値を上回るときに回線品質が異常であると判断してもよい。但し、ＳＲパケットを受信した受信側がＲＲパケットを送信するために要する処理時間（ＤＬＳＲが示す時刻とＬＳＲが示す時刻との差分）は、パケット遅延時間に含めないものとする。各ユーザ端末２１，２２，２３の回線品質は、一時的にゆらぐことがあるため、複数回の測定結果の平均値から回線品質を求めてもよい。
【００１５】
設定モジュール８２は、各ユーザ端末２１，２２，２３の回線品質に応じて同時接続可能なユーザ端末数を動的に設定する処理を行う。この処理は、静的同時接続ユーザ端末数を補正して動的同時接続ユーザ端末数を得る処理に相当する。設定モジュール８２は、例えば、動的同時接続ユーザ端末数の上限値を静的同時接続ユーザ端末数と同じ値に初期設定し、その後、何れかのユーザ端末の回線品質が閾値を下回った時点で回線品質が閾値を上回るユーザ端末の数を動的同時接続ユーザ端末数として再設定する。回線品質が閾値を下回るユーザ端末が検出されたときは、回線にゆらぎやパケット損失が生じているものと判断し、同時接続可能なユーザ端末数を引き下げることにより、十分な品質の音声通信サービスを提供できる。ここで、「回線品質が閾値を下回る」とは、例えば、上りのフレームエラーレートと下りのフレームエラーレートのうち少なくとも何れか一方が閾値を超えることを意味する。例えば、二台のユーザ端末２１，２２がパケット音声通信サービスの提供を受けており、同時接続可能なユーザ端末数の上限が２である場合において、ユーザ端末２１の上り方向のフレームエラーレートが１％、下り方向のフレームエラーレートが５％であり、ユーザ端末２２の上り方向のフレームエラーレートが９１％、下り方向のフレームエラーレートが８８％であるときは、フレームエラーレートの閾値を９０％に設定すると、同時接続可能なユーザ端末数は２−１＝１となる。
【００１６】
なお、回線品質が閾値を下回ったユーザ端末の回線品質が後に閾値を上回ったとしても、同時接続可能なユーザ端末数を一旦引き下げた後は、回線にゆらぎやパケット損失が生じる可能性が依然として高いため、同時接続している全てのユーザ端末からの呼が解放されない限り、同時接続可能なユーザ端末数を引き上げないことが望ましい。設定モジュール８２は、同時接続している全てのユーザ端末からの呼が解放されたことを契機として、同時接続可能なユーザ端末数を上限に引き上げる処理を行う。
【００１７】
呼制御モジュール８３は、同時接続可能なユーザ端末数がゼロに低下したことを契機として、十分な品質のパケット音声通信サービスの提供が困難であると判断し、パケット音声通信サービスの提供を停止する処理を行う。同時接続可能なユーザ端末数がゼロに低下した場合には、小型基地局１０は、パケット音声通信サービスを提供できない状況にあることを示す警報を管理サーバ７０に通知してもよい。また、回線品質の一時的なゆらぎを考慮し、同時接続可能なユーザ端末数がゼロに低下する事象が複数回生じたことを条件として、パケット音声通信サービスの提供を停止してもよい。小型基地局１０によるパケット音声通信サービスの停止は、管理サーバ７０からの遠隔指示により解除可能である。
【００１８】
呼制御モジュール８３は、同時接続可能なユーザ端末数を超えるユーザ端末２１，２２，２３からの呼の受け付けを拒絶する処理を行う。呼制御モジュール８３は、例えば、S1AP:INITIAL CONTEXT SETUP REQUEST / S1AP:HANDOVER REQUEST / S1AP:E-RAB SETUP REQUEST / X2AP:HANDOVER REQUESTでE-RAB Level QoS Parameters.QCI=1を受信することにより、ユーザ端末２１，２２，２３からの呼を認識できる。呼制御モジュール８３は、呼の受け付けを拒絶するときに、３ＧＰＰ ＴＳ３６．３３１，ＴＳ３６．４１３ＴＳ３６．４２３に準拠するFailure処理（例えば、Failureメッセージ送信処理）を行ってもよい。小型基地局１０から呼の受け付けを拒絶されたユーザ端末は、品質のよいセル（例えば、ＬＴＥ方式のマクロセル又はＷ−ＣＤＭＡ方式のマクロセル）がその周辺で検出できるときは、品質のよいセルを通じてパケット音声通信サービスを利用できる。パケット音声通信サービス停止中の小型基地局１０に対して音声呼の接続が発生した場合は、ハンドオーバー関連メッセージのときにFailureメッセージを送信してもよく、或いは３ＧＰＰに定義されている方法でＣＳＦＢを行ってもよい。
【００１９】
なお、呼制御モジュール８３は、小型基地局１０に設けられている発光素子（例えば発光ダイオード）を点灯させたり、或いは小型基地局１０のディスプレイに呼受け付け拒絶のメッセージを表示したりすることにより、呼の受け付けを拒絶したことをユーザに通知してもよい。
【００２０】
図４は本実施形態に係る静的同時接続ユーザ端末数の変動の一例を示すグラフである。時刻ｔ１は、小型基地局１０が起動した時点を示しており、時刻ｔ１から時刻ｔ２までの呼受け付け準備段階の期間（例えば２分間）にブロードバンド回線４０の帯域測定処理が実行される。その後、呼受け付け準備段階からパケット音声通信サービス運用段階に移行してから一定の周期間隔（時刻ｔ７，ｔ１０，ｔ１３，ｔ１５，ｔ１７，ｔ２０，ｔ２４）で回線帯域が測定される。この周期間隔は、例えば１時間である。同図に示す例では、時刻ｔ１から時刻ｔ２までの呼受け付け準備段階における帯域測定の結果から静的同時接続ユーザ端末数が６と決定され、その後、パケット音声通信サービス運用段階における時刻ｔ１３の帯域測定の結果から静的同時接続ユーザ端末数が３と決定された場合を示している。また、時刻ｔ１７では、何れかのユーザ端末が回線を使用しているため、帯域確保の観点から帯域測定は実施されていない。
【００２１】
図５は本実施形態に係る動的同時接続ユーザ端末数の変動の一例を示すグラフである。同図において、実線グラフは、静的同時接続ユーザ端末数を示し、一点鎖線グラフは動的同時接続ユーザ端末数を示している。また、ユーザ１，２，３は、それぞれ、ユーザ端末２１，２２，２３を示している。時刻ｔ２で静的同時接続ユーザ端末数が６に決定されたため（図４参照）、動的接続ユーザ端末数は、初期値６に設定される。時刻５から時刻６の期間に呼接続している全てのユーザ１，２，３の回線品質は正常（閾値以上）であったが、時刻t６から時刻ｔ８の期間でユーザ３の回線品質は異常（閾値未満）であったため、動的同時接続ユーザ端末数は、時刻t６の時点で回線品質が閾値を上回るユーザ端末の数（３−１＝２）に補正される。時刻t８から時刻ｔ９の期間でユーザ２の回線品質が正常から異常に変わり、ユーザ３の回線品質が異常から正常に変わっているが、時刻t８の時点で回線品質が閾値を上回るユーザ端末の数（３−１＝２）に変化はないため、動的同時接続ユーザ端末数は２のままである。時刻ｔ１１から時刻ｔ１２の期間では、ユーザ１，２が呼接続しており、そのうちユーザ２の回線品質が異常であるため、動的同時接続ユーザ端末数は、時刻１１の時点で回線品質が閾値を上回るユーザ端末の数（２−１＝１）に補正される。時刻ｔ１２の時点で同時接続している全てのユーザからの呼が解放されたため、動的同時接続ユーザ端末数は、上限値である６に引き上げられる。時刻ｔ１３で静的同時接続ユーザ端末数が６から３に変更されたため（図４参照）、動的同時接続ユーザ端末数の上限が６から３に変更されている。時刻１８から時刻ｔ１９の期間でユーザ３の回線品質は異常であったため、動的同時接続ユーザ端末数は、時刻t１８の時点で回線品質が閾値を上回るユーザ端末の数（３−１＝２）に補正される。時刻ｔ１９の時点で同時接続している全てのユーザからの呼が解放されたため、動的同時接続ユーザ端末数は、上限値である３に引き上げられる。時刻ｔ２２から時刻ｔ２３の期間では、ユーザ１のみが呼接続しており、ユーザ１の回線品質が異常であったため、同時接続可能なユーザ端末数は０に低下し、パケット音声通信サービスの提供が停止される。
【００２２】
なお、上述の説明では、小型基地局１０がパケット音声通信サービスの呼制御を行う例を示したが、移動通信システム１００を構成する何れかのノード（例えば、管理サーバ７０）に呼制御プログラム８０を実装することにより、そのノードがパケット音声通信サービスの呼制御を行うように構成してもよい。例えば、管理サーバ７０に呼制御プログラム８０を実装することにより、管理サーバ７０は、測定モジュール８１、設定モジュール８２、及び呼制御モジュール８３の各機能を実行する呼制御装置として機能する。
【００２３】
呼制御プログラム８０は、移動通信システム１００を構成する何れかのノード（例えば、小型基地局１０又は管理サーバ８０）のコンピュータ読み取り可能な記録媒体に格納される。コンピュータ読み取り可能な記録媒体とは、フレキシブルディスク、光磁気ディスク、ＲＯＭ、フラッシュメモリ等の書き込み可能な不揮発性メモリ、ＤＶＤ等の可搬媒体、コンピュータシステムに内蔵されるハードディスク等の記憶資源のことをいう。コンピュータ読み取り可能な記録媒体は、インターネット等のネットワークや電話回線等の通信回線を介してプログラムが送信された場合のサーバやクライアントとなるコンピュータシステム内部の揮発性メモリのように、プログラムを一時的に保持しているものも含むものとする。また、コンピュータプログラムは、このプログラムを記憶装置等に格納したコンピュータシステムから、伝送媒体を介して、或いは伝送媒体中の伝送波により他のコンピュータシステムに伝送されてもよい。ここで、コンピュータプログラムを伝送する伝送媒体は、インターネット等のネットワークや電話回線等の通信回線のように情報を伝送する機能を有する媒体のことをいう。
【符号の説明】
【００２４】
１０…小型基地局  ２１，２２，２３…ユーザ端末  ３０…セル  ４０…ブロードバンド回線  ５０…ゲートウェイ  ６０…コアネットワーク  ７０…管理サーバ  ７１…ファイル  ８０…呼制御プログラム  ８１…測定モジュール  ８２…設定モジュール  ８３…呼制御モジュール
【要約】
【課題】回線品質に応じて音声パケット通信サービスを提供する。
【解決手段】呼制御プログラム８０は、パケット音声通信サービスの提供を受けるユーザ端末毎に回線品質を測定する処理を行う測定モジュール８１と、各ユーザ端末の回線品質に応じて同時接続可能なユーザ端末数を動的に設定する処理を行う設定モジュール８２と、同時接続可能なユーザ端末数を超える呼の受け付けを拒絶する処理を行う呼制御モジュール８３とを備える。
【選択図】図３【図１】
0005567710.tif 000002
【図２】
0005567710.tif 000003
【図３】
0005567710.tif 000004
【図４】
0005567710.tif 000005
【図５】
0005567710.tif 000006